【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
駆動モータおよび前記モータにより回転駆動される回転出力軸を有する自動ドライバー本体と、この自動ドライバー本体から突出する前記回転出力軸の先端に装着されたビットと、このビットの周囲に吸気路を形成すると共に前記ビットを囲繞するように構成した吸着ガイドと、この吸着ガイドの前方にねじを供給して保持するねじ供給保持部材と、このねじ供給保持部材の後端から前記自動ドライバー本体に向けて延設されたシリンダと、前記自動ドライバー本体からシリンダの内側に向けて延設されたピストンと、を設けてなるねじ自動供給機構を備えた自動ドライバーにおけるねじの自動供給および装着方法において、
前記ねじ供給保持部材には、前記吸着ガイドの先端開口部に対し近接して対向するようにねじ供給保持板を配置し、前記ねじ供給保持板において、前記吸着ガイドの先端開口部にねじ頭部が直接対向するようにねじをねじ案内保持溝に保持すると共に、前記ねじ供給保持板を、前記吸着ガイドの進退方向に弾力的に傾倒可能として前記吸着ガイドの先端開口部を開放可能に設定し、
前記ねじ供給保持板の傾倒可能な先端縁部に対向して、ねじ頭部とねじ軸部とをそれぞれ一定状態に保持して移送し得る非円形のねじ案内通孔を形成し、その長手方向の垂直断面において、外形が円形または角形状に構成した可撓性チューブからなるねじ供給管を使用し、前記ねじ供給管の非円形からなるねじ案内通孔を、前記ねじ頭部が前記ねじ案内保持溝に適正に案内保持されるように前記ねじ供給管をを位置決め配置し、
前記ねじ供給管を介してねじを空気圧によって移送供給し、前記ねじ供給保持板のねじ案内保持溝に対して、前記ねじのねじ頭部が直接前記ビットの先端部に対向するように、ねじ軸部の中心線が前記ビットと同軸となるようにねじを供給して、前記ビットの先端部に装着するように設定することを特徴する自動ドライバーへのねじの自動供給および装着方法。
【請求項２】
駆動モータおよび前記モータにより回転駆動される回転出力軸を有する自動ドライバー本体と、この自動ドライバー本体から突出する前記回転出力軸の先端に装着されたビットと、このビットの周囲に吸気路を形成すると共に前記ビットを囲繞するように構成した吸着ガイドと、この吸着ガイドの前方にねじを供給して保持するねじ供給保持部材と、このねじ供給保持部材の後端から前記自動ドライバー本体に向けて延設されたシリンダと、前記自動ドライバー本体からシリンダの内側に向けて延設されたピストンと、を設けてなるねじ自動供給機構を備えた自動ドライバーにおいて、
前記ねじ供給保持部材には、前記吸着ガイドの先端開口部に対し近接して対向し、前記吸着ガイドの先端開口部にねじ頭部が直接対向するようにねじをねじ案内保持溝に保持すると共に、前記ねじ保持板を、前記吸着ガイドの進退方向に弾力的に傾倒可能として前記吸着ガイドの先端開口部を開放可能に構成したねじ供給保持板を配置し、
ねじ頭部とねじ軸部とをそれぞれ一定状態に保持して移送し得る非円形のねじ案内通孔を形成し、その長手方向の垂直断面において、外径が円形または角形状に構成した可撓性チューブからなり、前記円形からなるねじ案内通孔を、前記ねじ供給保持板の傾倒可能な先端縁部に対向して、前記ねじ頭部が前記ねじ案内保持溝に適正に案内保持されるように位置決め配置してなるねじ供給管を設け、
さらに、ねじ供給保持板には、ねじ供給管から空気圧によって移送供給されるねじを適正に案内保持し、前記ねじのねじ頭部が直接前記ビット先端部に対向するように、ねじ軸部の中心線が前記ビットと同軸となるようにねじを供給して、前記ビットの先端部に装着するように設定するために、ねじ頭部を案内保持するねじ頭部案内保持溝とねじ軸部を案内保持するねじ軸部案内保持溝とをそれぞれ同軸上に隣接させてＵ字状に構成したねじ案内保持溝を形成してなる、ことを特徴とするねじ自動供給機構を備えた電動ドライバー。
【手続補正２】
【補正対象書類名】明細書
【補正対象項目名】００２０
【補正方法】削除
【補正の内容】
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】変更
【補正の内容】
【００２４】
前記の目的を達成するため、本発明の請求項１に記載の自動ドライバーへのねじの自動供給および装着方法は、駆動モータおよび前記モータにより回転駆動される回転出力軸を有する自動ドライバー本体と、この自動ドライバー本体から突出する前記回転出力軸の先端に装着されたビットと、このビットの周囲に吸気路を形成すると共に前記ビットを囲繞するように構成した吸着ガイドと、この吸着ガイドの前方にねじを供給して保持するねじ供給保持部材と、このねじ供給保持部材の後端から前記自動ドライバー本体に向けて延設されたシリンダと、前記自動ドライバー本体からシリンダの内側に向けて延設されたピストンと、を設けてなるねじ自動供給機構を備えた自動ドライバーにおけるねじの自動供給および装着方法において、
前記ねじ供給保持部材には、前記吸着ガイドの先端開口部に対し近接して対向するようにねじ供給保持板を配置し、前記ねじ供給保持板において、前記吸着ガイドの先端開口部にねじ頭部が直接対向するようにねじをねじ案内保持溝に保持すると共に、前記ねじ供給保持板を、前記吸着ガイドの進退方向に弾力的に傾倒可能として前記吸着ガイドの先端開口部を開放可能に設定し、
前記ねじ供給保持板の傾倒可能な先端縁部に対向して、ねじ頭部とねじ軸部とをそれぞれ一定状態に保持して移送し得る非円形のねじ案内通孔を形成し、その長手方向の垂直断面において、外形が円形または角形状に構成した可撓性チューブからなるねじ供給管を使用し、前記ねじ供給管の非円形からなるねじ案内通孔を、前記ねじ頭部が前記ねじ案内保持溝に適正に案内保持されるように前記ねじ供給管をを位置決め配置し、
前記ねじ供給管を介してねじを空気圧によって移送供給し、前記ねじ供給保持板のねじ案内保持溝に対して、前記ねじのねじ頭部が直接前記ビットの先端部に対向するように、ねじ軸部の中心線が前記ビットと同軸となるようにねじを供給して、前記ビットの先端部に装着するように設定することを特徴する。
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】変更
【補正の内容】
【００２６】
本発明の請求項２記載のねじ自動供給機構を備えた自動ドライバーは、駆動モータおよび前記モータにより回転駆動される回転出力軸を有する自動ドライバー本体と、この自動ドライバー本体から突出する前記回転出力軸の先端に装着されたビットと、このビットの周囲に吸気路を形成すると共に前記ビットを囲繞するように構成した吸着ガイドと、この吸着ガイドの前方にねじを供給して保持するねじ供給保持部材と、このねじ供給保持部材の後端から前記自動ドライバー本体に向けて延設されたシリンダと、前記自動ドライバー本体からシリンダの内側に向けて延設されたピストンと、を設けてなるねじ自動供給機構を備えた自動ドライバーにおいて、
前記ねじ供給保持部材には、前記吸着ガイドの先端開口部に対し近接して対向し、前記吸着ガイドの先端開口部にねじ頭部が直接対向するようにねじをねじ案内保持溝に保持すると共に、前記ねじ保持板を、前記吸着ガイドの進退方向に弾力的に傾倒可能として前記吸着ガイドの先端開口部を開放可能に構成したねじ供給保持板を配置し、
ねじ頭部とねじ軸部とをそれぞれ一定状態に保持して移送し得る非円形のねじ案内通孔を形成し、その長手方向の垂直断面において、外径が円形または角形状に構成した可撓性チューブからなり、前記円形からなるねじ案内通孔を、前記ねじ供給保持板の傾倒可能な先端縁部に対向して、前記ねじ頭部が前記ねじ案内保持溝に適正に案内保持されるように位置決め配置してなるねじ供給管を設け、
さらに、ねじ供給保持板には、ねじ供給管から空気圧によって移送供給されるねじを適正に案内保持し、前記ねじのねじ頭部が直接前記ビット先端部に対向するように、ねじ軸部の中心線が前記ビットと同軸となるようにねじを供給して、前記ビットの先端部に装着するように設定するために、ねじ頭部を案内保持するねじ頭部案内保持溝とねじ軸部を案内保持するねじ軸部案内保持溝とをそれぞれ同軸上に隣接させてＵ字状に構成したねじ案内保持溝を形成してなる、ことを特徴とする。
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】変更
【補正の内容】
【００３０】
本発明の請求項１に記載の自動ドライバーへのねじの自動供給および装着方法によれば、例えば、ねじ軸部の長さがねじ頭部の直径寸法よりも小さくなるような小ねじの自動供給を円滑に行うことができると共に、自動ドライバーへのねじの自動供給方法として、自動ドライバーのビット先端部に対する前記ねじの自動供給を迅速かつ確実にして簡便に行うことができ、ねじ締め作業の効率化を著しく高めることができる。従って、自動ドライバーとして、簡単な構成にして製造の容易化を図ると共に、製造コストを低減することができ、ねじ締め作業の容易化と共に効率化に寄与する効果は極めて大きい。
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】変更
【補正の内容】
【００３２】
本発明の請求項２に記載のねじ自動供給機構を備えた自動ドライバーによれば、前記と同様に、自動ドライバーのビット先端部に対する前記ねじの自動供給を迅速かつ確実にして簡便に行うことができ、ねじ締め作業の効率化を著しく高めることができると共に、自動ドライバーとして、簡単な構成にして製造の容易化を図ると共に、製造コストを低減することができ、ねじ締め作業の容易化と共に効率化に寄与する効果は極めて大きい。
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】変更
【補正の内容】
【００３４】
また、本発明の請求項２に記載のねじ自動供給機構を備えた自動ドライバーにおけるねじ供給管の構成によれば、吸着ガイド内のビットの先端部に対して、ねじ案内保持溝を設けたねじ供給板を介して供給するに際して、ねじの方向性を常に適正に保持することができると共に、特にねじ自動供給保持部材への取付け際して、その方向性と位置決めとを容易化することができ、ねじを迅速かつ確実に移送供給することができる。
【手続補正１７】
【補正対象書類名】明細書
【補正対象項目名】００３５
【補正方法】削除
【補正の内容】
【手続補正１８】
【補正対象書類名】図面
【補正対象項目名】図１
【補正方法】変更
【補正の内容】
【図１】
2013240868.tif 000001
【手続補正１９】
【補正対象書類名】図面
【補正対象項目名】図２
【補正方法】変更
【補正の内容】
【図２】
2013240868.tif 000002